(57)【特許請求の範囲】
【請求項１】
容器本体と蓋体とを有し、皿部と蓋部とからなるレフィル容器を収納する化粧料容器において、上記蓋体および上記容器本体には、これらを上下方向に一連に連続的に貫通させて、上記皿部を上記蓋部で閉じた状態の上記レフィル容器が上記容器本体の底部から着脱自在に装着され、該蓋部が該容器本体を通過して上記蓋体へと入り込むとともに、上記皿部が該容器本体へ入り込む貫通孔が形成され、
上記レフィル容器を該容器本体の底部から該貫通孔に着脱自在に装着するために、該貫通孔の蓋体側には、該レフィル容器の上記蓋部との間に当該蓋部を上記蓋体に容器本体側から係脱自在に係合する蓋側係合部が形成されるとともに、該貫通孔の容器本体側には、該レフィル容器の上記皿部との間に当該皿部を該容器本体にその底部から係脱自在に係合する容器側係合部が形成されていることを特徴とする化粧料容器。
【請求項２】
前記蓋体を開いた状態で前記蓋部の蓋側周壁で前記蓋側係合部を隠蔽するために、該蓋側係合部が、該蓋体の蓋体周壁面に形成される蓋側係止突起と、該蓋側係止突起に対応させて、上記蓋側周壁に、これを前記蓋部の表面側から下方へ向かって途中まで切欠して形成され、該蓋側係止突起を挿入する蓋側切欠部とで構成され、
上記蓋体を開いた状態で前記容器本体の容器本体周壁面で前記容器側係合部を隠蔽するために、該容器側係合部が、前記皿部の皿側周壁に形成される皿側係止突起と、該皿側係止突起に対応させて、上記容器本体周壁面に、これを前記容器本体の底部側から上方に向かって途中まで切欠して形成され、該皿側係止突起を挿入する皿側切欠部とで構成されていることを特徴とする請求項１に記載の化粧料容器。
【発明の詳細な説明】
【０００１】
【発明の属する技術分野】
本発明は、皿部と蓋部とからなるレフィル容器を収納しながらも、その厚さを薄くすることができる化粧料容器に関する。
【０００２】
【従来の技術】
化粧料容器の中には、交換用の化粧料を収納したレフィル容器が用意され、このレフィル容器を入れ替えることで、化粧料容器自体は廃棄することなくそのまま継続的に使用できるものが知られている（例えば、特開平９−６５９２０号公報）。レフィル容器は、化粧料が充填される皿部と、この皿部を開閉自在に覆う蓋部とから構成されることが多い。特に、化粧料が揮発性のものである場合には、当該化粧料の揮発を防ぐ気密性を確保するために、レフィル容器には必要的に蓋部が備えられている。またこのレフィル容器は化粧料容器とは異なり、使い捨ての容器として考えられていて、外観を問わず、その機能性に重点が置かれている。
【０００３】
他方、化粧料容器は容器本体と蓋体とを備え、詰替用のレフィル容器は容器本体の収納部に着脱自在に装着され、蓋体が閉じられることによって化粧料容器の内部に隠蔽状態で収納される。すなわち、この種の化粧料容器にあっては、使い捨てのレフィル容器をその中に納めて、美的外観を容器本体と蓋体とで得るようにしている。
【０００４】
【発明が解決しようとする課題】
ところで、上記従来の化粧料容器は、レフィル容器をその内部に隠蔽して収納するようにしていたため、全体として二重蓋構造、二重底構造となり、厚さの厚いものとなっていた。二重底構造については、化粧料がレフィル容器の皿部に充填されている関係上不可避的なものであって、これによって化粧料容器の厚みが増すこととなっていた。
【０００５】
他方、二重蓋構造については、レフィル容器の蓋部を廃止することが考えられるが、蓋部は流通過程において化粧料を保護する役割や、またレフィル容器単体としての商品価値を高める役目もあり、従って蓋部をレフィル容器に備えること自体は好ましいことである。また特に、レフィル容器に気密性が要求される場合には、蓋部によって皿部を密封状態にできることが必要であって、これに加えて蓋体で容器本体を閉じることからやはり二重蓋構造になることは避けがたく、これによっても化粧料容器の厚みが厚くなってしまうという課題があった。
【０００６】
本発明は上記従来の課題に鑑みて創案されたものであって、皿部と蓋部とからなるレフィル容器を収納しながらも、その厚さを薄くすることができる化粧料容器を提供することを目的とする。
【０００７】
【課題を解決するための手段】
本発明にかかる化粧料容器は、容器本体と蓋体とを有し、皿部と蓋部とからなるレフィル容器を収納する化粧料容器において、上記蓋体および上記容器本体には、これらを上下方向に一連に連続的に貫通させて、上記皿部を上記蓋部で閉じた状態の上記レフィル容器が上記容器本体の底部から着脱自在に装着され、該蓋部が該容器本体を通過して上記蓋体へと入り込むとともに、上記皿部が該容器本体へ入り込む貫通孔が形成され、上記レフィル容器を該容器本体の底部から該貫通孔に着脱自在に装着するために、該貫通孔の蓋体側には、該レフィル容器の上記蓋部との間に当該蓋部を上記蓋体に容器本体側から係脱自在に係合する蓋側係合部が形成されるとともに、該貫通孔の容器本体側には、該レフィル容器の上記皿部との間に当該皿部を該容器本体にその底部から係脱自在に係合する容器側係合部が形成されていることを特徴とする。
【０００８】
また、前記蓋体を開いた状態で前記蓋部の蓋側周壁で前記蓋側係合部を隠蔽するために、該蓋側係合部が、該蓋体の蓋体周壁面に形成される蓋側係止突起と、該蓋側係止突起に対応させて、上記蓋側周壁に、これを前記蓋部の表面側から下方へ向かって途中まで切欠して形成され、該蓋側係止突起を挿入する蓋側切欠部とで構成され、上記蓋体を開いた状態で前記容器本体の容器本体周壁面で前記容器側係合部を隠蔽するために、該容器側係合部が、前記皿部の皿側周壁に形成される皿側係止突起と、該皿側係止突起に対応させて、上記容器本体周壁面に、これを前記容器本体の底部側から上方に向かって途中まで切欠して形成され、該皿側係止突起を挿入する皿側切欠部とで構成されていることを特徴とする。
【０００９】
【発明の実施の形態】
以下に、本発明にかかる化粧料容器の好適な一実施形態を、添付図面を参照して詳細に説明する。図１〜図４に示すように、本実施形態にかかるレフィル容器１を収納するための化粧料容器２は合成樹脂で形成され、主に容器本体３および蓋体４から構成される。容器本体３と蓋体４との間には、容器本体３を開閉するために、当該容器本体３に対して蓋体４を回動自在に連結する蝶番機構５が設けられる。この蝶番機構５は、容器本体３に一対突設された蝶番ブロック６間に、蓋体４に形成された蝶番片７が挟み込まれるとともに、これら蝶番ブロック６から蝶番片７にわたって蝶番ピン８が挿通されて構成され、蝶番ピン８周りに蝶番ブロック６に対して蝶番片７が回動されるようになっている。
【００１０】
また容器本体３と蓋体４との間には、蝶番機構５とは反対側に、容器本体３の閉鎖状態を維持するためのフック機構９が設けられる。このフック機構９は、容器本体３の凹所１０に形成された突起１１と、蓋体４に凹所１０に向かって垂下させて形成され、突起１１に係脱自在に係合するフック１２とから構成される。
【００１１】
レフィル容器１も合成樹脂で形成され、内部に化粧料が充填される凹部１３が区画形成された皿部１４と、この皿部１４を開閉自在に閉じて凹部１３を気密に密封する蓋部１５とから構成され、特にこれら蓋部１５と皿部１４とは互いに完全に分離可能に別々に形成される。図示例にあっては、皿部１４の上端部には、凹部１３周りに径方向外方へ拡張して皿側環状鍔部１６が形成され、この皿側環状鍔部１６の周縁に周方向に沿って皿側周壁１７が形成されるとともに、皿側環状鍔部１６の内周縁には凹部１３周りに上方へ突出させて皿側環状シール突起１８が形成される。
【００１２】
他方、蓋部１５の外周にはその周方向に沿って、皿部１４へ向かって垂下させて皿側環状鍔部１６に重ね合わされる蓋側周壁１９が形成されるとともに、蓋側周壁１９の内側には、僅かな隙間ｓを隔てて皿側環状シール突起１８にその径方向外方から弾接される蓋側環状シール突起２０が並設される。皿部１４に対してその上方から蓋部１５を被せると、蓋側周壁１９が皿側環状鍔部１６に重ね合わされる過程で、蓋側環状シール突起２０は隙間ｓによってその弾性変形が許容されつつ皿側環状シール突起１８に径方向から弾接し、これによって蓋部１５により皿部１４内部を気密に密封できるようになっている。
【００１３】
特に本実施形態にあっては、化粧料容器２を構成する蓋体４および容器本体３には、これらを上下方向に一連に連続的に貫通する貫通孔Ｈが形成され、この貫通孔Ｈに、皿部１４を蓋部１５で閉じた状態のレフィル容器１が容器本体３の底部から着脱自在に装着されるようになっている。詳細に説明すると、蓋体４には、レフィル容器１の蓋側周壁１９の外形寸法で、その表裏を貫通する蓋側貫通孔２１が形成され、レフィル容器１の蓋部１５はこの蓋側貫通孔２１を介して蓋体４に取り外し可能に装着される。図示例にあっては、蓋側周壁１９が円形の平面外形輪郭で形成され、蓋側貫通孔２１も円形に形成されている。また蓋側貫通孔２１の蓋体４表面側には、当該蓋体４から蓋側貫通孔２１へ張り出して環状庇部２２が形成されている。
【００１４】
この蓋側貫通孔２１を区画形成する蓋体４の周壁面２３には、蓋側貫通孔２１に挿入されて当該蓋体周壁面２３と向かい合う蓋部１５の蓋側周壁１９との間に、蓋部１５を蓋体４に容器本体３側から係脱自在に係合する蓋側係合部２４が設けられる。具体的には、蓋体周壁面２３には、その周方向に適宜間隔を隔てて蓋側係止突起２５が形成される。また蓋側周壁１９には、蓋側係止突起２５に対応させてこれを蓋部１５の表面側から下方へ向かって途中まで切欠して、蓋側係止突起２５を挿入するための蓋側切欠部２６が形成されるとともに、当該蓋側切欠部２６に対して蓋部１５の周方向に隣接させて連続的に、蓋側係止突起２５を収容するための蓋側保持溝２７が窪ませて形成され、さらにこれら蓋側保持溝２７と蓋側切欠部２６との間には、蓋側係止突起２５の蓋側保持溝２７への挿入を許容し、かつ当該蓋側保持溝２７から蓋側係止突起２５が容易に抜脱されることを阻止する蓋側保持突起２８が隆起させて形成される。これにより蓋体４の蓋側係止突起２５は、容器本体３側から接近する蓋部１５の蓋側切欠部２６および蓋側保持突起２８を介して蓋側保持溝２７内に離脱可能に係合される。
【００１５】
蓋側保持溝２７は、これに蓋側係止突起２５が係合した際に、蓋側周壁１９の上端が蓋側貫通孔２１周りの環状庇部２２に当接する位置に設定され、これにより蓋部１５は蓋体４に対してガタツキなく固定されるようになっている。また蓋側周壁１９が環状庇部２２に重ね合わされることにより、蓋側切欠部２６が隠蔽されるようになっている。特に、蓋部１５が蓋体４に取り付けられることにより、これら蓋体４および蓋部１５両者の表面によって化粧料容器２としての蓋の外観が得られるようになっている。図示例にあっては、蓋体４の厚み、すなわち蓋側貫通孔２１の深さと、蓋部１５の高さが一致され、蓋側貫通孔２１の周辺で蓋体４の表面と蓋部１５の表面とが滑らかに連続されている。
【００１６】
他方、容器本体３と皿部１４についても、係止突起と切欠部の位置関係が化粧料容器２とレフィル容器１で反対となっていることを除き、蓋体４と蓋部１５に備えられたと同様な構造が備えられている。すなわち、容器本体３には、レフィル容器１の皿側周壁１７の外形寸法で、その内外を貫通する容器側貫通孔２９が形成され、皿部１４はこの容器側貫通孔２９を介して容器本体３に取り外し可能に装着される。図示例にあっては、皿側周壁１７が円形の平面外形輪郭で形成され、容器側貫通孔２９も円形に形成されている。そしてこの容器側貫通孔２９を区画形成する容器本体３の周壁面３０には、容器側貫通孔２９に挿入されて当該容器本体周壁面３０と向かい合う皿側周壁１７との間に、皿部１４を容器本体３にその底部から係脱自在に係合する容器側係合部３１が設けられる。
【００１７】
皿部１４の皿側周壁１７には、その周方向に適宜間隔を隔てて皿側係止突起３２が形成される。また容器本体周壁面３０には、皿側係止突起３２に対応させてこれを容器本体３の底部側から上方に向かって途中まで切欠して、皿側係止突起３２を挿入するための皿側切欠部３３が形成されるとともに、当該皿側切欠部３３に対して容器側貫通孔２９周りに隣接させて連続的に、皿側係止突起３２を収容するための皿側保持溝３４が窪ませて形成され、さらにこれら皿側保持溝３４と皿側切欠部３３との間には、皿側係止突起３２の皿側保持溝３４への挿入を許容し、かつ当該皿側保持溝３４から皿側係止突起３２が容易に抜脱されることを阻止する皿側保持突起３５が隆起させて形成される。これにより皿側係止突起３２は、容器本体３の底部から皿側切欠部３３および皿側保持突起３５を介して皿側保持溝３４に挿入されてこれに離脱可能に係合される。
【００１８】
次に、本実施形態にかかる化粧料容器２の作用について説明する。容器本体３と蓋体４とからなる化粧料容器２は単独あるいは、レフィル容器１との組み合わせで販売等がされ、貫通孔Ｈにレフィル容器１が取り付けられて使用される。まず、レフィル容器１を化粧料容器２に組み込む際には図１に示すように、皿部１４を蓋部１５で閉じた状態のレフィル容器１を、容器本体３の底部から貫通孔Ｈへと挿入する。レフィル容器１を貫通孔Ｈへ挿入すると、蓋部１５は容器本体３を経過して蓋体４へと入り込むとともに、皿部１４は容器本体３に入り込み、この際、蓋体４および皿部１４の係止突起２５，３２がそれぞれ蓋部１５および容器本体３の切欠部２６，３３に挿入される。その後、レフィル容器１を貫通孔Ｈ周りに回し、保持突起２８，３５を乗り越えさせて、係止突起２５，３２を保持溝２７，３４に滑り込ませる。これにより、レフィル容器１を化粧料容器２に一挙に取り付けることができる。
【００１９】
レフィル容器１を取り付けた化粧料容器２を使用する際には、図４に示すように通常の化粧料容器２と同じ用法で、フック機構９の係合を外して蓋体４を開けばよい。また化粧料容器２を閉じる際には、蓋体４を閉じてフック機構９で容器本体３を閉鎖すると、図２および図３に示すように、蓋体４の閉じ動作に伴って蓋部１５により皿部１４を閉じることができ、この際、皿側および蓋側環状シール突起１８，２０の作用で、凹部１３を気密状態に密閉することができる。さらに、レフィル容器１を交換するために取り外す際には、取り付け操作とは反対に、レフィル容器１を貫通孔Ｈ周りに反対方向へ回して係止突起２５，３２を保持溝２７，３４から離脱させれば、切欠部２６，３３を介して貫通孔Ｈから取り外すことができる。
【００２０】
以上説明した本実施形態にあっては、化粧料容器２を構成する蓋体４および容器本体３に貫通孔Ｈを形成し、この貫通孔Ｈにレフィル容器１を係脱自在に取り付けるようにしたので、レフィル容器１の蓋部１５や皿部１４をもって化粧料の収納機能を確保しながら、貫通孔Ｈによって二重蓋構造や二重底構造となることを防止でき、化粧料容器２としての厚さを薄くすることができる。
【００２１】
また、レフィル容器１、特にその蓋部１５が蓋側貫通孔２１を介して外部に露出されるので、これら蓋部１５と蓋体４の表面で化粧料容器２の外観が得られることとなり、レフィル容器１の蓋部１５のデザインを各種用意するなどすることで、蓋体４とのコンビネーションによりデザイン的に新奇かつ斬新な化粧料容器２の形態を得ることが可能となる。
【００２２】
さらに、皿部１４を蓋部１５で開閉操作するレフィル容器１をワンタッチで一挙に化粧料容器２に装着することができ、レフィル容器１の交換操作をきわめて簡単に行うことができる。特に本実施形態にあっては、蓋側係合部２４を構成する蓋側切欠部２６は環状庇部２２で隠蔽することができるとともに、蓋体４を開いた状態でも、蓋側係合部２４や容器側係合部３１はそれぞれ、蓋側周壁１９および容器本体周壁面３０で隠蔽することができるので、これらが化粧料容器２の表面に現れることがなく、外観を良好に維持することができる。
【００２３】
図５〜図８には、本発明にかかる化粧料容器の他の実施形態が示されている。この実施形態は主に、係合部の構造が上記実施形態と異なる。皿部１４の皿側周壁１７および蓋部１５の蓋側周壁１９には、レフィル容器１周りの同じ位置に位置させて、上下に並べて蓋側係止突起３６および皿側係止突起３７が形成される。また、容器本体周壁面３０および蓋体周壁面２３には、これら係止突起３６，３７に対応させて貫通孔Ｈの貫通方向に沿って一連に連続させて、これら係止突起３６，３７を挿入するための切欠部３８が形成される。そして切欠部３８には、貫通孔Ｈ周りに隣接させて連続的に、各係止突起３６，３７を収容するための皿側保持溝３９および蓋側保持溝４０が窪ませて形成され、さらにこれら保持溝３９，４０と切欠部３８との間には、係止突起３６，３７の各保持溝３９，４０への挿入を許容し、かつ当該保持溝３９，４０から係止突起３６，３７が容易に抜脱されることを阻止する皿側保持突起４１および蓋側係止突起４２がそれぞれ隆起させて形成される。これにより各係止突起３６，３７は、容器本体３の底部から切欠部３８および保持突起４１，４２を介して各保持溝３９，４０にそれぞれ挿入され、蓋部１５は蓋体４に、そして皿部１４は容器本体３にそれぞれ離脱可能に係合される。
【００２４】
このような実施形態にあっても上記実施形態とほぼ同様な作用・効果を奏する。特に本実施形態にあっては、切欠部３８が容器本体３から蓋体４に向かって一連に形成される関係上、蓋体４を開いた際に切欠部３８が容器本体３上面および蓋体４裏面に現れてしまう一方で、上記実施形態とは異なり、環状庇部２２を不要にすることができるとともに、レフィル容器１を貫通孔Ｈに装着する際、切欠部３８に係止突起３６，３７を合わせて挿入する操作性を向上することができる。
【００２５】
図９には、上記実施形態の変形例として、容器本体３に、皿部１４に隣接させてパフなどを収納する化粧具収納部４３が備えられるとともに、蓋体４には、蓋部１５に隣接させて鏡４４が設けられた形態の化粧料容器２が示されていて、このような形態の化粧料容器２にあっても上記実施形態と同様な作用・効果を得ることができる。
【００２６】
【発明の効果】
以上説明したように本発明の請求項１にかかる化粧料容器にあっては、蓋体および容器本体に、これらを上下方向に一連に連続的に貫通させて、皿部を蓋部で閉じた状態のレフィル容器が容器本体の底部から着脱自在に装着され、蓋部が容器本体を通過して蓋体へと入り込むとともに、皿部が容器本体へ入り込む貫通孔を形成し、レフィル容器を容器本体の底部から貫通孔に着脱自在に装着するために、貫通孔の蓋体側に、レフィル容器の蓋部との間に蓋部を蓋体に容器本体側から係脱自在に係合する蓋側係合部を形成するとともに、貫通孔の容器本体側に、レフィル容器の皿部との間に皿部を容器本体にその底部から係脱自在に係合する容器側係合部を形成したので、レフィル容器の蓋部や皿部をもって化粧料の収納機能を確保しながら、貫通孔によって二重蓋構造や二重底構造となることを防止でき、化粧料容器としての厚さを薄くすることができる。さらに、レフィル容器、特にその蓋部が貫通孔を介して外部に露出されるので、これら蓋部と蓋体の表面で化粧料容器の外観が得られることとなり、蓋部と蓋体とのコンビネーションによりデザイン的に新奇かつ斬新な化粧料容器の形態を得ることが可能となる。また、皿部を蓋部で開閉操作するレフィル容器をワンタッチで一挙に化粧料容器に装着することができ、レフィル容器の交換操作をきわめて簡単に行うことができる。
【００２７】
また、本発明の請求項２にかかる化粧料容器にあっては、蓋体を開いた状態で、蓋側係合部と容器側係合部が化粧料容器の表面に現れることがなく、外観を良好に維持することができる。
【図面の簡単な説明】
【図１】本発明にかかる化粧料容器の好適な一実施形態を示す、レフィル容器を取り外した状態の斜視図である。
【図２】図１の化粧料容器にレフィル容器を取り付けた状態の側断面図である。
【図３】図１の化粧料容器にレフィル容器を取り付けた状態の正面断面図である。
【図４】図１の化粧料容器にレフィル容器を装着して、その蓋体を開いた状態を示す斜視図である。
【図５】本発明にかかる化粧料容器の他の実施形態を示す、レフィル容器を取り外した状態の斜視図である。
【図６】図５の化粧料容器にレフィル容器を取り付けた状態の側断面図である。
【図７】図５の化粧料容器にレフィル容器を取り付けた状態の正面断面図である。
【図８】図５の化粧料容器にレフィル容器を装着して、その蓋体を開いた状態を示す斜視図である。
【図９】本発明にかかる化粧料容器のさらに他の変形例を示す、レフィル容器を装着して蓋体を開いた状態を示す斜視図である。
【符号の説明】
１  レフィル容器
２  化粧料容器
３  容器本体
４  蓋体
１４  皿部
１５  蓋部
２４  蓋側係合部
３１  容器側係合部
Ｈ  貫通孔
【図１】
0004104883.tif 000002
【図２】
0004104883.tif 000003
【図３】
0004104883.tif 000004
【図４】
0004104883.tif 000005
【図５】
0004104883.tif 000006
【図６】
0004104883.tif 000007
【図７】
0004104883.tif 000008
【図８】
0004104883.tif 000009
【図９】
0004104883.tif 000010